(57)【特許請求の範囲】
【請求項１】
錠箱内に収納され、錠箱の開口を覆うフロント板に平行な平面への投影形状が矩形で、前方に斜面を、後方にフロント板に垂直な係止面を形成し、内面後方にフロント板と平行な基準面を、基準面の前方に斜面の下端部に連なる断面円弧状の曲面を接続したラッチヘッドと、断面コ字形でラッチヘッドの斜面を露出させるようにしてラッチヘッドを後方から包持し、前端縁の少なくとも一方を側方に張出して係止面と平行な係合片を形成したバックライニングと、断面コ字形で、フロント板に平行な平面部を有し、この平面部をラッチヘッドの内面の基準面に接合させるようにしてラッチヘッドと係合するラッチ受けと、このラッチ受けを介してラッチヘッドを外方に付勢するラッチばねと、上記係合片の近傍においてこれと平行な平面内で移動可能に案内され、その一部を係合片の後方からこれに重合する錠止位置、及び係合片と重合しない解除位置の間を往復できるように軸支され、その一部が錠止位置に向かう方向に付勢された制御体と、制御体の支軸と平行なレバー軸により回動自在に支承され、内端を制御体に係合可能に臨ませると共に、内端が制御体から離間する方向に付勢された、制御体による係止状態解除用の作動レバーとを有することを特徴とする係止装置。
【発明の詳細な説明】
【０００１】
【発明の属する技術分野】
この発明は、窓の障子を窓枠に係止したり、扉を扉枠に係止するに適した新規な係止装置に関する。
【０００２】
【従来の技術】
扉を扉枠に係止するため、従来ラッチボルトが使用されてきたが、近年、所謂反転ラッチ装置が提案され、実用されている。
【０００３】
この反転ラッチ装置は、例えば特許第２６４１０９８号公報、或いは特開平６−１８００７９号公報に記載されているように、ラッチ杆の先端に側面形状が平行四辺形をなすラッチヘッドを回動可能に装着し、扉と扉枠との相対運動を利用してラッチヘッドを倒すと共に、全体を引込めるようにしたものである。
【０００４】
しかしながら、この形式の反転ラッチ装置は、ラッチ杆を用いるので全体の構成が少し複雑になる、という恨みが残る。
【０００５】
一方、特開平８−１００５５９号公報によって提案された反転ラッチ装置は、ラッチ杆を用いずにラッチヘッドを単体で案内枠中を移動できるように構成し、ラッチヘッドを１個の圧縮コイルばねで付勢して、ラッチヘッドの倒れ、及び錠箱内への押込みの双方に対し夫々復元力を付与してある。
【０００６】
この形式の反転ラッチ装置は、ラッチ杆を省いた分構成が簡単になっているが、ラッチヘッドの回動（倒れ）に対しコイルばねが強い復元力をラッチヘッドに及ぼすので、ラッチヘッドがストライクから解放されて自由になったとき強いばね力で跳ねるように回動し、その為案内枠を設けないとラッチヘッドがフロント板の開口から外れる恐れがある、という不都合がある。
【０００７】
そこで、この発明は、上記した従来の反転ラッチ装置の不都合を解消し、構造が簡単で作動が確実な係止装置を提供することを目的としている。
【０００８】
【課題を解決するための手段】
上記の目的を達成するため、請求項１に記載の発明は、錠箱内に収納され、錠箱の開口を覆うフロント板に平行な平面への投影形状が矩形で、前方に斜面を、後方にフロント板に垂直な係止面を形成し、内面後方にフロント板と平行な基準面を、基準面の前方に斜面の下端部に連なる断面円弧状の曲面を接続したラッチヘッドと、断面コ字形でラッチヘッドの斜面を露出させるようにしてラッチヘッドを後方から包持し、前端縁の少なくとも一方を側方に張出して係止面と平行な係合片を形成したバックライニングと、断面コ字形で、フロント板に平行な平面部を有し、この平面部をラッチヘッドの内面の基準面に接合させるようにしてラッチヘッドと係合するラッチ受けと、このラッチ受けを介してラッチヘッドを外方に付勢するラッチばねと、上記係合片の近傍においてこれと平行な平面内で移動可能に案内され、その一部を係合片の後方からこれに重合する錠止位置、及び係合片と重合しない解除位置の間を往復できるように軸支され、その一部が錠止位置に向かう方向に付勢された制御体と、制御体の支軸と平行なレバー軸により回動自在に支承され、内端を制御体に係合可能に臨ませると共に、内端が制御体から離間する方向に付勢された、制御体による係止状態解除用の作動レバーとを有することを特徴とする。
【０００９】
【発明の実施の形態】
以下、この発明の実施例を図面を参照して説明する。なお、この実施例は、この発明を天窓の係止装置に適用した場合を示すものである。
【００１０】
この天窓は、図１及び図２に示すように、屋根に嵌め込まれた例えば木製の窓枠１に、支軸２を介して、障子３を揺動可能に装着してある。なお、図２において下方が室内側である。
【００１１】
障子３の外枠の下面には、図２に示すように、ハンドル４が揺動可能に装着されており、このハンドル４を図２において下方に引くことによりこの発明による係止装置の係止を解除するようになっている。
【００１２】
図２において、窓枠１を通して障子３の外枠を見ると、外枠の中央にこの発明による係止装置の錠箱５が見え、その両側に、図４及び図５に示すように、障子３の側片を窓枠１に係止する別の係止装置の他の錠箱６、６が見える。なお、図４及び図５に示す他の錠箱６は、錠箱５の左側にあるもので、右側のものは図示を省略する。
【００１３】
図３に示すこの発明による係止装置の錠箱５を室内側から見ると図６のように見え（図２参照）、図３、図６及び図７に示すように、錠箱５内において水平に担持されたレバー軸７に、全体の形状が略逆Ｊ字形の作動レバー８の内端部が回動可能に支承されている。
【００１４】
一方、この作動レバー８の外端を水平なハンドル４が付番しないブッシュを介して貫通しており、ハンドル４の両端は上記他の錠箱６に回動自在に支承されたサイドレバー９（図４及び図５参照）の自由端に支持されている。
【００１５】
なお、サイドレバ−９の回動軸１１は上記レバー軸７と同軸になっており、図５に示すように、回動軸１１に関しハンドル４とは反対側におけるサイドレバー９の端部は他の錠箱６内に設けられたばね軸１２に巻装された圧縮コイルばねとしてのレバーばね１３の自由端に弾圧している。
【００１６】
そのため、作動レバー８は図７において時計方向に付勢されていて、その内端が後述する制御体から離間する方向に付勢されている。
【００１７】
一方、図３、図６及び図７に示すように、錠箱５には、その開口（図２でＸ方向とは逆方向に開口している）を覆うようにフロント板１４が装着されている。
【００１８】
そして、このフロント板１４の内側にラッチヘッド１５とバックライニング１６とを一体的に結合したラッチブロック１７が配設されている。
【００１９】
上記ラッチヘッド１５は、図３に示すように、フロント板１４に平行な平面への投影形状が矩形であり、また、図８に示すように、その前方（図３で上方、図８で左方）には斜面１８が、後方には係止面１９が夫々形成されている。
【００２０】
また、図８に示すように、ラッチヘッド１５の内面（図８で下面）後方にはフロント板１４に平行な基準面２１が、そしてこの基準面２１の前方には上記斜面１８の内端に連なる断面円弧状の曲面２２が夫々形成されている。
【００２１】
なお、このラッチヘッド１５の材質は、通常のラッチボルトのそれと同様に、テフロンやナイロンなどの合成樹脂が好適である。
【００２２】
また、図示の実施例では、図９に示すように、これら基準面２１及び２２はラッチヘッド１５の後方から見て中央部を切欠くようにして形成されているが、この基準面２１などの幅は任意に設定することができ、図９のように幅を狭くした理由は、後述するラッチ受けとの係合を安定に保つ為である。
【００２３】
このラッチヘッド１５の外側には、図３に示すように、断面コ字形のバックライニング１６がラッチヘッド１５を後方（図３で下方）から包持するようにしてこれにかしめつけられ、一体に結合されている。
【００２４】
このバックライニング１６は例えばステンレス板を折り曲げて構成するのが好適で、後述するストライク板の開口と係合するラッチヘッド１５の背面の係止面１９を補強する。
【００２５】
また、このバックライニング１６の前部は、図７に示すように斜めに切り欠かれ、ラッチヘッドの斜面１８を露出させている。これはラッチヘッドの方が摩擦が少ないからである。
【００２６】
更にまた、バックライニングの前端縁の少なくとも一方（図示の実施例では両方）の側端縁は側方に張出していて、図３及び図９に示すように、係止面１６と平行な幅の狭い係合片２４、２４が形成されている。
【００２７】
なお、これらの係合片２４、２４を含むラッチブロック１７の幅は、図９に示すように、錠箱５内に設けられた断面コ字形のばね受け２５（図６及び図９）の内法寸法より若干小さめに設定されており、換言すればばね受け２５はラッチブロック１７の案内装置を兼ねている。
【００２８】
他方、図８及び図９に示すように、ラッチヘッド１５の内面（下面）の基準面２１に接合するようにして、断面がコ字形のラッチ受け２３が設けられている。
【００２９】
このラッチ受け２３は、ラッチヘッド１５と接合する外面に前後に細長い平面部を形成した部材で、図９に示すように、その内面中央とばね受け２５の上面中央に突設されたばね掛け突起２６、２６との間には圧縮コイルばねとしてのラッチばね２７が弾装されている。
【００３０】
また、上記ラッチブロック１７の近傍には、図６及び図９に示すように、板材を複雑に折り曲げて構成した制御体２８が制御軸２９（図６参照）の周りを回動自在に支承されており、制御ばね３１（図６参照）の弾力により、図６及び図９において時計方向に付勢されている。
【００３１】
この制御体２９の自由端部は、上記ばね受け２５の側面に開口したスリット３２（図７参照）を挿通して、制御体２９に外力が印加されない常態においては、図９に示すように、ラッチブロック１７の係合片２４と重合する。この状態は、後述するように、この発明による係止装置の錠止状態を示す。
【００３２】
一方、図３、図６及び図７に示すように、前記作動レバー８の内端は、制御体２８の受け片３３（図９参照）に係合可能に対峙している。
【００３３】
上記のように構成されたこの発明の一実施例による係止装置は、ハンドル４に外力が印加されない常態では、図９及び図１０に示すように、制御体２８の自由端がラッチブロックの係合片２４と重合している。
【００３４】
このとき図１０に示すようにラッチブロックの先端がストライク３４の開口に投入されているものとし、錠箱が装着されている天窓の障子が下方（図１０で右方）に移動（落下）しようとすると、ラッチブロック１７にストライク３４から上方に反力が及ぶ。
【００３５】
この反力により、ラッチブロック１７に図１０で反時計方向にモーメントが作用し、係合片２４が右方に移動しようとするが、この移動は制御体２８によって衝止され、ラッチブロック１７は回動しない。すなわちラッチブロック１７を介しての錠箱５のストライク３４への係止は継続される。
【００３６】
ところが、ハンドル４（図２及び図４参照）を握ってこれを下方、すなわち室内側に引けば、作動レバーが図７で反時計方向に回動する結果、その内端が図９で制御体の３３を下方に押動する。
【００３７】
すると、図１１に示すように制御体２８が反時計方向に回動し、図１２に示すように、その自由端部がラッチブロックの係合片２４と重合しなくなる。
【００３８】
この状態で錠箱５が下方、すなわち図１２で右方に移動すると、図１３に示すように、ストライク３４の開口端縁がラッチブロック１７の先端を上方に押し上げ、ラッチブロック１７は堪らず上方に倒れるように押し上げられると共に、ストライク３４に押動されてフロント板１４の開口から錠箱内に押し込まれる。
【００３９】
そして、図１４に至りラッチブロック１７は最大限に錠箱５内に押し込まれ、このときにはラッチ受け２３の外面がラッチブロックの曲面２２に当接するに至る。
【００４０】
更に錠箱が下方に移動し、ラッチブロック１７とストライク板３４との係合が完全に解けると、図１５に示すように、ラッチばね２７（図９及び図１１参照）の弾力によりラッチブロック１７が外方に飛び出し、例えば係合片２４の外端がフロント板１４の内面に当接して図１５に示す最大突出位置に至る。
【００４１】
なお、図１４から明らかなように、ラッチブロック１７が上昇するにしたがってラッチ受け２３とラッチヘッドの下面との接合線が図１４で右方に移動し、必ず、ラッチ受け２３の外面とラッチヘッドの基準面２１とが面接触をして安定になる図１５の位置に迄至る。
【００４２】
そして、この状態で手をハンドルから放すと、レバーばね１３（図５参照）の弾力により作動レバー８が図７に示す待機角度位置に戻り、図１５に示すように制御体２８が係合片２４と再び重合してこの係止装置は錠止状態となる。
【００４３】
天窓の障子を図示しない係止装置により所定の角度位置に係止し、換気などを行った後ハンドル４を図２で上方に押し上げると、今度は作動レバー８は回動せず、ラッチブロックの係合片２４と制御体２８とが重合した状態で錠箱が上方に移動する。
【００４４】
すると、図１５に示すように、ラッチヘッドの斜面１８とストライク３４とが先ず当接し、更なる錠箱の上昇に伴う両者の相対移動に起因する楔作用により図１６に示すように、ラッチブロック１７はフロント板１４の開口から錠箱内に押し込まれる。
【００４５】
このとき、ラッチブロック１７の係合片２４と制御体２８とが重合しているから、ラッチブロック１７は回転せずただ直線的に移動する。
【００４６】
そして、ラッチブロック１７がストライク３４の開口と整合するに至り、図１０に示すように、ラッチばね２７の弾力によってラッチブロック１７は自動的にストライク３４の開口内に投入される。
【００４７】
【発明の効果】
以上の説明から明らかなように、この発明は、いわゆる反転ラッチ装置を利用して係止の解除を行うので、通常のラッチボルトのように複雑なリトラクター機構等を用いることなく構造を簡単にすることができる。
【００４８】
また、ラッチヘッドの内面に基準面と曲面とを形成し、これらと平面部で接触するラッチ受けを介してラッチブロックを外方に付勢するようにしたので、特にラッチブロックを回転させるときこれに無理な反力が掛からず、したがってラッチブロックを強制的に案内する必要が無く、構造が簡単になるばかりでく、作動も確実である。
【００４９】
更にまた、制御体のわずかな動きで係止装置の錠止状態を切り替えることができるので、ハンドル等の外部操作部材との連携が容易で、ハンドルを操作部材として採用したときにはその押し引きだけで錠止、解錠操作を行うことができ、使い勝手が良い、等種々の効果を奏する。
【図面の簡単な説明】
【図１】この発明の一実施例による係止装置を適用した天窓の線図的平面図。
【図２】その側面図。
【図３】図２の窓枠１を通して見た錠箱の背面図。
【図４】図２のＡ部の拡大一部断面図。
【図５】他の錠箱の一部断面側面図。
【図６】錠箱の一部断面下面図。
【図７】錠箱の一部断面側面図。
【図８】ラッチブロック及びその支持装置の一部断面側面図。
【図９】ラッチブロック及びその支持装置の下面図で、錠止状態を示す。
【図１０】図８と同様のラッチブロック及びその支持装置の一部断面側面図で、錠止状態を示す。
【図１１】図９と同様のラッチブロック及びその支持装置の下面図で、解除状態を示す。
【図１２】図１０と同様のラッチブロック及びその支持装置の一部断面側面図で、係止装置が解除された状態を示す。
【図１３】図１０と同様のラッチブロック及びその支持装置の一部断面側面図で、係止装置が解除された後錠箱が少し開放状態に移動した状態を示す。
【図１４】図１０と同様のラッチブロック及びその支持装置の一部断面側面図で、係止装置が解除された後ラッチヘッドが最大限錠箱内に押し込まれた状態を示す。
【図１５】図１０と同様のラッチブロック及びその支持装置の一部断面側面図で、錠箱が再び錠止方向に移動し始めた状態を示す。
【図１６】図１０と同様のラッチブロック及びその支持装置の一部断面側面図で、錠箱が再び錠止方向に移動中の状態を示す。
【符号の説明】
４ ハンドル
５ 錠箱
１４ フロント板
１５ ラッチヘッド
１６ バックライニング
１７ ラッチブロック
１８ 斜面
１９ 係止面
２１ 基準面
２２ 曲面
２３ ラッチ受け
２４ 係合片
２５ ばね受け
２７ ラッチばね
２８ 制御体
３４ ストライク
【図１】
0004165622.tif 000002
【図２】
0004165622.tif 000003
【図３】
0004165622.tif 000004
【図４】
0004165622.tif 000005
【図５】
0004165622.tif 000006
【図６】
0004165622.tif 000007
【図７】
0004165622.tif 000008
【図８】
0004165622.tif 000009
【図９】
0004165622.tif 000010
【図１０】
0004165622.tif 000011
【図１１】
0004165622.tif 000012
【図１２】
0004165622.tif 000013
【図１３】
0004165622.tif 000014
【図１４】
0004165622.tif 000015
【図１５】
0004165622.tif 000016
【図１６】
0004165622.tif 000017